(57)【特許請求の範囲】
【請求項１】
容器口筒部に取着されるキャップ本体と上蓋とからなるキャップにおいて、
容器口筒部の外周には、平坦な係合面を具えた係合突部が設けられ、
キャップ本体は、注出筒と、上壁と外周筒部、内筒と蓋係合部を具えた係合筒部とからなっており、
外周筒部は、連結壁部と、該連結壁部を除いて形成された横弱化部の上下に配設された上係合筒部と下係合筒部とを具え、
横弱化部は、容器口筒部の係合面の範囲に対応する高さに薄肉を残して形成され、
連結壁部には、凹部が設けられ、
凹部には、下係合筒部の端部に形成された摘み片が配設されていることを特徴とするキャップ。
【請求項２】
凹部の側端と下係合筒部との間に、縦弱化部が設けられ、
縦弱化部に対応して下係合筒部下端に設けられた係合突条に、切欠部が設けられていることを特徴とする請求項１記載のキャップ。
【請求項３】
係合突部が、容器口筒部外周の中央部に突設され、
口筒部外周には、口筒部上部の平坦な係合面と、係合突部外周の平坦な係合面とが配設され、
横弱化部が、口筒部上部、または係合突部のいずれかの係合面に対応する高さに形成されていることを特徴とする請求項１または２記載のキャップ。
【発明の詳細な説明】
【技術分野】
【０００１】
本発明は、キャップ、とくに、廃棄時に、容器と簡単に分別できるキャップに関するものである。
【背景技術】
【０００２】
内容液を充填した容器口筒部に打栓するキャップにおいて、内容液を全て使用した後に、容器とキャップを分別廃棄できるキャップは、従来より知られている（例えば、特許文献１、２参照）。
【特許文献１】実開平０７−８２５３号公報
【特許文献２】実開平０７−９７５１号公報
【発明の開示】
【発明が解決しようとする課題】
【０００３】
しかしながら、上記特許文献１記載のキャップでは、キャップ本体（注出栓Ｂ）の外周筒部（周壁２）の一部（破断除去部１２または摘み片２０）を引張り、外周筒部の全体に対して一部のみを変形させているだけであるので、キャップ本体（注出栓）を容器（びんＡ）の口筒部（口部Ａａ）から外す際に強い力が必要であった。
【０００４】
また、上記特許文献２記載のキャップでは、キャップの分別廃棄の際に、外周筒部（外筒１０）から係止筒（２２）および補強リング（４）を取り外した後に、ドライバー等の治具により外周筒部（外筒１０ｂ）を変形させなくてはならず、キャップを外すのが簡単ではなかった。
【０００５】
本発明は、上記問題を解決することを課題とし、キャップと容器を分別廃棄する際に、弱い力で簡単にキャップを外すことができるとともに、容器内の密封を安定して維持することができるようにしたキャップを提供することを目的とする。
【課題を解決するための手段】
【０００６】
本発明は、上記の課題を解決するため、キャップとして、容器口筒部に取着されるキャップ本体と上蓋とからなるキャップにおいて、容器口筒部の外周には、平坦な係合面を具えた係合突部が設けられ、キャップ本体は、注出筒と、上壁と外周筒部、内筒と蓋係合部を具えた係合筒部とからなっており、外周筒部は、連結壁部と、該連結壁部を除いて形成された横弱化部の上下に配設された上係合筒部と下係合筒部とを具え、横弱化部は、容器口筒部の係合面の範囲に対応する高さに薄肉を残して形成され、連結壁部には、凹部が設けられ、凹部には、下係合筒部の端部に形成された摘み片が配設されていることを特徴とする構成を採用する。
【０００７】
横弱化部の実施例として、凹部の側端と下係合筒部との間に、縦弱化部が設けられ、縦弱化部に対応して下係合筒部下端に設けられた係合突条に、切欠部が設けられていることを特徴とする構成を採用する。
【０００８】
口筒部の実施例として、係合突部が、容器口筒部外周の中央部に突設され、口筒部外周には、口筒部上部の平坦な係合面と、係合突部外周の平坦な係合面とが配設され、横弱化部が、口筒部上部、または係合突部のいずれかの係合面に対応する高さに形成されていることを特徴とする構成を採用する。
【発明の効果】
【０００９】
容器の口筒部に取着されるキャップ本体と上蓋とからなるキャップにおいて、キャップ本体の係合筒部は、上壁と、上壁の外縁に垂設される外周筒部を具え、外周筒部は、連結壁部と横弱化部の上下に配設された上係合筒部と下係合筒部とを具え、連結壁部の凹部に、下係合筒部の端部に形成された摘み片が配設され、凹部の端部と下係合筒部との間に縦弱化部が形成されているので、摘み片を引張ることによって、縦弱化部と横弱化部が簡単に切断され、容器口筒部からキャップを弱い力で簡単に取り外すことができた。
【発明を実施するための最良の形態】
【００１０】
次に、本発明のキャップについて、実施例をあげ、図面を参照して説明する。
【実施例１】
【００１１】
図１において、Ａは容器、Ｂは容器Ａ口筒部に打栓されるキャップ本体、Ｃはキャップ本体Ｂに装着される上蓋である。
【００１２】
容器Ａの口筒部１の外周上端部には、キャップ本体Ｂを装着する係合突部２が設けられている。
係合突部２の外周面は、平坦な係合面２ａとなっている。
【００１３】
キャップ本体Ｂは、図１、２にしめすように、注出筒５と、該注出筒５に連設された係合筒部６とからなっており、注出筒５の内周には、隔壁７が連設されている。
係合筒部６は、注出筒５外周にリング状の上壁８によって連設され、上壁８の外周縁から垂設された蓋係合部９と、蓋係合部９の下端に連設されたリング状の上壁１０と、上壁１０の周縁より垂設された外周筒部１１と、蓋係合部９の下方に延び、口筒部１内周に嵌挿される内筒１２とからなっている。
【００１４】
隔壁７には、注出口を開口する薄肉の弱化部１３により区画された除去部１４が設けられており、除去部１４の上面には開口時に除去部１４を引上げるプルリング１５が立設されている。
【００１５】
外周筒部１１は、一定の長さの連結壁部１６と、該連結壁部１６の両側端に連設し、横溝１７によって形成された横弱化部１８の上下に配設された上係合筒部１９と下係合筒部２０とを具えている。
横弱化部１８は、図１（ｂ）に示すように、容器Ａの係合突部２の係合面２ａに対応する高さの範囲ａに形成され、横溝１７の深さは、外周筒部１１の内周に薄肉を残して切り込まれるようになっている。
【００１６】
連結壁部１６の上方部は、上係合筒部１９と連設して一体となっており、下係合筒部２０に対応する下方部には、凹部２１が設けられて、摘み片２２を形成する下係合筒部２０の外側延長部が重ねられるように配設されている。
凹部２１の端部１６ａと下係合筒部２０との間には、横溝１７とほぼ同一深さに切り込まれた縦弱化部２３が形成されており、凹部２１と摘み片２２との間には、所定の位置に切断可能な連結片２４が設けられている。
【００１７】
外周筒部１１の内周には、容器Ａの係合突部２の係合面２ａに一定の締め代をもって係合する係合面部２５が形成され、下端部には、上部が係合突部２の下端に係合する係合突条２６が設けられている。
係合突条２６には、外周の縦弱化部２３に対応する位置に縦溝２７が形成されている。
【００１８】
上蓋Ｃは、頂壁３０と、頂壁３０の周縁に垂設された外周壁３１とを具えており、頂壁３０下面には、キャップ本体Ｂの注出筒５の内周上部に挿入される密封リング３２が垂設されている。
外周壁３１の内周には、キャップ本体Ｂの係合筒部６の蓋係合部９と係合する係合部３３が設けられている。
【００１９】
次に、本実施例のキャップの作用効果について説明する。
容器は、上蓋Ｃの外周壁３１の係合部３３とキャップ本体Ｂの係合筒部６の蓋係合部９とを係合させるとともに、上蓋Ｃの密封リング３２とキャップ本体Ｂの注出筒５とを係合させ、上蓋Ｃをキャップ本体Ｂに閉蓋した後、容器Ａ内に内容液を充填し、口筒部１に閉蓋したキャップを上方から打栓する。
【００２０】
打栓時には、キャップ本体Ｂの係合筒部６の内筒１２外周と、外周筒部１１の内周により、容器Ａの口筒部１を挟持するとともに、キャップ本体Ｂの係合突条２６の上部が、容器Ａ口筒部１の係合突部２下端部と係合し、キャップ本体Ｂの抜け落ちを防止して容器Ａの口筒部１に装着される。
【００２１】
本発明のキャップは、キャップ本体Ｂの係合筒部６の内筒１２外周が容器Ａの口筒部１内周に密着するとともに、キャップ本体Ｂの外周筒部１１内周の係合面部２５が容器Ａの係合突部２の係合面２ａに密着するので、容器内の内容液が外に漏れることを防ぐことができる。
【００２２】
キャップ本体Ｂの下係合筒部２０の摘み片２２が、連結壁部１６の凹部２１と連結片２４を介して連結されているので、容器の使用中に、摘み片２２が邪魔になったり、摘み片２２を引張ることを防止することができる。
【００２３】
内容液を全て使用した後、キャップを容器Ａから取外して分別廃棄する際には、まず、キャップ本体Ｂの摘み片２２の先端を引張る。
摘み片２２を外周方向に引張ると、図３（ａ）に示すように、摘み片２２内側面と凹部２１とを連結している連結片２４を切断し、キャップ本体Ｂの外周筒部１１の下係合筒部２０と連結壁部１６とを連設する縦弱化部２３が切断される。
さらに摘み片２２を引張ると、下係合筒部２０と上係合筒部１９とを連設する横弱化部１８を徐々に切断し、図３（ｂ）に示すように、外周筒部１１から下係合筒部２０を引き離していく。
【００２４】
下係合筒部２０が、外周筒部１１から引き離されていくと、下係合筒部２０内周下端の係合突条２６と容器Ａの係合突部２との係合が外れるとともに、外周筒部１１が連結壁部１６を介して容器Ａの口筒部１に連結された状態となり、さらに、下係合筒部２０を上方に引張ると、キャップ本体Ｂを簡単に容器Ａの口筒部１から外して分別廃棄することができる。
【００２５】
本実施例のキャップは、キャップ本体Ｂの外周筒部１１の横弱化部１８の高さが、容器Ａの係合突部２の係合面２ａの高さの範囲ａに位置する高さで横方向に形成されているので、打栓時にキャップ本体Ｂの横弱化部１８および縦弱化部２３が破損する恐れがなく、容器内の密封を保つことができる。
【００２６】
さらに、キャップ本体Ｂを分別廃棄するため、外周筒部１１から下係合筒部２０を引き離した際に、図４に示すように、容器Ａの係合面２ａと係合面部２５下方との係合が外れ、その分、係合面２ａとキャップ本体Ｂの係合面部２５との係合面が小さくなり、より簡単に、キャップ本体Ｂを容器Ａから外すことができる。
【実施例２】
【００２７】
次に、第１実施例の容器口筒部とキャップ本体の構成を変えた第２実施例について、説明する。
本実施例の第１実施例と同一の構成部分には、同一の符号を付して図示し、詳しい説明を省略し、相違点を中心に説明する。  
【００２８】
図５において、Ａａは容器、Ｂａは容器Ａａの口筒部に打栓されるキャップ本体、Ｃａはキャップ本体Ｂａに装着される上蓋である。
【００２９】
容器Ａａの口筒部３５の外周の所定の位置には、キャップ本体Ｂａを装着する係合突部３６が設けられている。
口筒部３５の係合突部３６より上方の外周面には、平坦な係合面３５ａが配設され、係合突部３６の外周面は、平坦な係合面３６ａとなっている。
【００３０】
キャップ本体Ｂａは、注出筒５と、係合筒部６とからなり、係合筒部６は、蓋係合部９と、上壁１０、外周筒部４０と、内筒１２とからなっている。
外周筒部４０は、連結壁部４１と、該連結壁部４１の両側端に連設し、横溝４２によって形成された横弱化部４３の上下に配設された上係合筒部４４と、下係合筒部４５とを具えている。
横弱化部４３は、容器Ａａの係合突部３６の係合面３６ａの高さの範囲ｂに対応する高さに形成され、横溝４２は、外周筒部の内周に薄肉を残すように切り込まれている。
【００３１】
連結壁部４１の上方部は、上係合筒部４４と連設して一体となっており、下係合筒部４５に対応する位置には、凹部４６が設けられ、凹部４６の側端と下係合筒部４５との間には縦方向に切断可能な縦弱化部４７が形成されている。
【００３２】
下係合筒部４５の外側部は、縦弱化部４７を越えて延び、凹部４６の形状にほぼ合致する摘み片４８が設けられている。
【００３３】
外周筒部４０の内周には、容器Ａａの口筒部３５の係合面３５ａに係合する上係合面部４９と、係合突部３６の係合面３６ａに係合する下係合面部５０が形成され、下端部には、上部が係合突部３６の下端に係合する係合突条５１が設けられている。
【００３４】
次に、本実施例のキャップの作用効果について説明する。
打栓時には、キャップ本体Ｂａの係合筒部６の内筒１２外周と、外周筒部４０の内周により、容器Ａａの口筒部３５を挟持するとともに、キャップ本体Ｂａの係合突条５１の上部が、容器Ａａの係合突部３６下端部と係合し、キャップ本体Ｂａの抜け落ちを防止して容器Ａａの口筒部３５に装着される。
【００３５】
本発明のキャップは、キャップ本体Ｂａの係合筒部６の内筒１２外周が容器Ａａの口筒部３５内周に密着するとともに、キャップ本体Ｂａの外周筒部４０内周の上係合面部４９および下係合面部５０が、容器Ａａの口筒部３５上部の係合面３５ａ、および係合突部３６の係合面３６ａに密着するので、容器内の内容液が外に漏れることを防ぐことができる。
【００３６】
内容液を全て使用した後、キャップを容器Ａａから取外して分別廃棄する際には、まず、キャップ本体Ｂａの摘み片４８の先端を外周方向に引張り、縦弱化部４７を切断するとともに、横弱化部４３を切断し、外周筒部４０から下係合筒部４５を引き離し、さらに下係合筒部４５を上方に引張ると、キャップ本体Ｂａを簡単に容器Ａａの口筒部３５から外すして分別廃棄することができる。
【００３７】
本実施例のキャップは、キャップ本体Ｂａの外周筒部４０の横弱化部４３の高さが、容器Ａａの係合突部３６の係合面３６ａの高さの範囲ｂに位置する高さで横方向に形成されているので、打栓時に、キャップ本体Ｂａの横弱化部４３、および縦弱化部４７が破損する恐れがなく、容器内の密封を保つことができる。
【００３８】
さらに、キャップ本体Ｂａを分別廃棄するため、外周筒部４０から下係合筒部４５を引き離した際に、図６に示すように、容器Ａａの係合面３６ａと下係合面部５０下方との係合が外れ、その分、係合面３６ａとキャップ本体Ｂａの下係合面部５０との係合面が小さくなり、より簡単に、キャップ本体Ｂａを容器Ａａから外すことができる。
その他の作用効果は、実施例１と同じである。
【００３９】
前記実施例では、キャップ本体Ｂａの外周筒部４０の横弱化部４３の高さを、打栓時に、容器Ａａの係合突部３６の係合面３６ａの範囲ｂに対応する高さに形成するようにしているが、別実施例として、図７に示すように、容器Ａａの口筒部３５上部の係合面３５ａの範囲ｃに対応する高さで形成するようにしてもよい。
【００４０】
その場合、外周筒部４０には、横弱化部４３の上下に、上係合筒部４４と下係合筒部４５が形成され、外周筒部４０の内面には係合面３５ａに対応して上係合面部４９が、係合面３６に対応して下係合面部５０が形成されている。
【００４１】
また、キャップ本体Ｂａを分別廃棄するため、外周筒部４０から下係合筒部４５を引き離した際に、図８に示すように、容器Ａａの係合面３５ａと上係合面部４９の下方部との係合および、それより下方の係合が外れ、その分、外周筒部４０と容器Ａａの口筒部３５上部との係合面が小さくなり、より簡単に、キャップ本体Ｂａを容器Ａａから外すことができる。
【００４２】
上記各実施例では、キャップをキャップ本体と上蓋とし、キャップ本体の係合筒部上部と上蓋の外周壁にそれぞれねじを設け、螺着するようにしているが、装着の方法は別にどのような構成でもよい。
また、キャップ本体と上蓋を、ヒンジを介して連設するように形成し、一体成形するようにしてもよく、キャップの構成は、上記各実施例の形態に限定されない。
【００４３】
上記各実施例では、キャップ本体の外周筒部の横弱化部の下方に凹部および摘み片を配設したが、別実施例として、図９に示すように、キャップ本体Ｂｂの外周筒部５５に形成された横弱化部５６により、上係合筒部５７、連結壁部５８、下係合筒部５９を形成し、連結壁部５８の一端部と下係合筒部５９との間に縦弱化部６０を設け、上係合筒部５７の縦弱化部６０の上方から一定範囲に凹部６１を設けるとともに、下係合筒部５９の縦弱化部６０側上部に凹部６１に対応する摘み片６２を形成するようにしてもよい。
その場合、キャップ本体Ｂｂを分別廃棄する際に、摘み片６２を下方に引張ることによって、縦弱化部６０を切断することができる。
【産業上の利用可能性】
【００４４】
本発明は、キャップにおいて、キャップ本体の摘み片を引張ることによって、簡単にキャップを容器口部から取外して、分別廃棄することができるので、各種の内容液の容器の分別廃棄可能のキャップとして、広く利用することができる。
【図面の簡単な説明】
【００４５】
【図１】本発明のキャップの説明図で、（ａ）は一部断面立面図、（ｂ）は要部拡大図である。
【図２】キャップ本体の説明図で、（ａ）は断面立面図、（ｂ）は下面図である。
【図３】キャップ本体の作用説明図で、（ａ）は摘み片の引張り始め時、（ｂ）は下係合筒部の変形時のものである。
【図４】キャップ本体の下係合筒部の変形後の要部拡大図である。
【図５】本発明第２実施例のキャップの説明図で、（ａ）は一部断面立面図、（ｂ）は要部拡大図である。
【図６】キャップ本体の下係合筒部の変形後の要部拡大図である。
【図７】本発明第２実施例の別実施例の説明図で、（ａ）は一部断面立面図、（ｂ）は要部拡大図である。
【図８】キャップ本体の下係合筒部の変形後の要部拡大図である。
【図９】別実施例の説明図である。
【符号の説明】
【００４６】
Ａ、Ａａ      容器
Ｂ、Ｂａ、Ｂｂ  キャップ本体
Ｃ、Ｃａ      上蓋
ａ、ｂ、ｃ    範囲
１、３５      口筒部
２、３６      係合突部
２ａ、３５ａ、３６ａ  係合面
５            注出筒
６            係合筒部
７            隔壁
８、１０      上壁
９            蓋係合部
１１、４０、５５  外周筒部
１２          内筒
１３          弱化部
１４          除去部
１５          プルリング
１６、４１、５８  連結壁部
１７、４２    横溝
１８、４３、５６  横弱化部
１９、４４、５７  上係合筒部
２０、４５、５９  下係合筒部
２１、４６、６１  凹部
２２、４８、６２  摘み片
２３、４７、６０  縦弱化部
２４          連結片
２５          係合面部
２６、５１    係合突条
２７          縦溝
３０          頂壁
３１          外周壁
３２          密封リング
３３          係合部
４９          上係合面部
５０          下係合面部
【図１】
0005042900.tif 000002
【図２】
0005042900.tif 000003
【図３】
0005042900.tif 000004
【図４】
0005042900.tif 000005
【図５】
0005042900.tif 000006
【図６】
0005042900.tif 000007
【図７】
0005042900.tif 000008
【図８】
0005042900.tif 000009
【図９】
0005042900.tif 000010